Podtech/llm-jp-corpus-v4-ja_patent huggingface dataset:
(57)【要約】【課題】壁に人工磁場を形成し、水、植物、人体内の生理の活性化を図る。【解決手段】    二つの壁面に永久磁石を取り付けＮ極とＳ極の水平磁気力の方向を変える間隔を設けた壁、また、着磁された固形化純鉄フェライトを取り付けてなる磁場壁。【選択図】  図１
0003107238.tif 000002
【実用新案登録請求の範囲】
【請求項１】
一つの板状の片面の壁に固形された純鉄フェライトに一時磁石に磁力をかけ磁場を形成させ磁場を形成した純鉄フェライトを取り付けた磁性材料を特徴とする磁場壁。
【考案の詳細な説明】
【技術分野】
【０００１】  本考案は、永久磁石を二つの板状（例えば花崗岩、石灰岩、セメント、人工石、高分子材料等）の片面に永久磁石を多数個取り付け、Ｎ極側とＳ極側を対等させて永久磁石の水平磁力がなくなるまで引き離し、空間に所定の磁場を形成させることを特徴とする磁場壁に関するものである。
また、純鉄フェライトを一時磁石させ、板状の壁の片面に磁場を形成させた純鉄フェライトを取り付けることを特徴とする磁場壁に関するものである。【０００２】  一般に磁場を形成した壁に関する発表はされていないが、最近の傾向としては、水の中に溶存している成分は、殆ど水素結合した水の分子集団（クラスターとよばれている）中に取り込まれているこの水が、磁気を通過すると水の中に溶存するＣａイオン、  Ｎａイオン、Ｍａイオンなどのイオンがクラスターの外に放出されて細分化され、活性化が起こるとされている。
とくに、植物の光合成や養分の移動などの生命活動を維持するための欠くことのできない水について、その機能性に重点をおかれた発表がなされている。【０００３】  一般的に磁石を使って磁気力または、強磁気力によって水の分子集団（クラスターと呼ばれる）中に取り込まれているミネラル成分は磁気力を通してクラスターが細分化するとして開発か進められているようである。
【考案の開示】
【考案が解決しょうとする課題】
【０００４】  ところが、現在進められている水の磁気あるいは磁気力処理法は、強力な磁石を使って磁界中を磁力線に対し水平となるように水に対して磁気処理させている。さらに、効果が得られると言われているが、例えば飲み水、作物の場合、磁気処理の水では効果がなく、飲み水は一週間もたてば濁りが出てくる。また、作物の場合は整理上根腐れを起こしやすいなど不可能である。
【０００５】  そこで本考案は、上記課題を鑑みされたもので、強力な磁石を利用して利用するのではなく、永久磁石のＮ極とＳ極間の水平磁力線がなくなるまでＮ極とＳ極の間隔をとり、空間は磁場となる。この磁場がクラスターの細分化を促進させるものである。また、この磁場を利用することによって、促進させ提供することを目的とするものである。
【課題を解決しようとするための手段】
【０００６】  かかる目的を達成するため、本発明に係わる磁場効果は従来の磁気あるいは磁気力処理では不可能な観点から、永久磁石のＮ極とＳ極の磁力線を別方向に変える位置、所謂磁場を形成する空間をつくり、この磁場を活用することにある。
また、固形化された純鉄フェライトによる人工磁場の形成に着目した。
すなわち、固形化された純鉄フェライトを一時磁石にし磁場を形成させる。
【０００７】  磁場壁（例えば花崗岩、石灰岩、セメント、人工石、高分子材料など）永久磁石を多数個以上二つの壁面に取り付け、磁場が形成される空間をつくる。また、着磁された固形化された純鉄フェライトを多数個とりつける。
したがって、植物、生態の水分を細分化させて活性化し問題解決ができ有効利用が促進できる。
【考案の効果】
【０００８】  実験例      資料＝水道水、井戸水
実施期間＝平成１２年６月初旬から平成１３年４月中旬まで
透明容器（５５ｍｍ径、１２０ｃｃ入り容器）水道水、井戸水それぞれ１００ｃｃ別々の容器にいれる。
結果    容器の両サイドに強力磁石をとりつける。一週間位から濁りはじめる。    特に井戸水は顕著に濁りがいちじるしい。
弱い軟磁石でＮ極とＳ極の空間磁場域に置いた場合道水は殆ど濁らない。井戸水は井戸水に含まれる不純物が３ｍｍ程度堆積した。
植物（鉢植えの金盞花）
図１、図３に示す状態と屋外放置で比較すると図１、図３では４０日後屋外のものより１．５倍成長が顕著にあらわれた。
【考案を実施するための最良の形態】
【０００９】  Ｎ極とＳ極の空間すなわち磁場域で水を細分化した水を植物にときどき与えることでより効果がある。また、生理的に呑むことも効果的である。
【物件名】
図面
【００１０】  図１  二つの極の磁場域を示す側面図、図２は図１の正面図
図３は着磁された純鉄フェライトで磁場を形成した壁の側面図、図４は図３の鳥瞰図。
【図１】
0003107238.tif 000003
【図２】
0003107238.tif 000004
【図３】
0003107238.tif 000005
【図４】
0003107238.tif 000006
(57)【要約】【課題】トイレブラシの使用時や、トイレ内の掃除時におけるトイレブラシケースの転倒を防止し、なおかつトイレブラシのブラシケースへの収納を容易にする。【解決手段】トイレブラシケースの底部を半球形状にし、なおかつその底部におもりを装着することにより、転倒を防止するとともに起き上がることとした。又、ふたの内側部分に板状の突起部分を取り付け、又、ブラシの先端にフックを装着することにより、汚れたトイレブラシを容易にブラシケースに収めることができる。【選択図】  図  １【実用新案登録請求の範囲】
【請求項１】
トイレブラシケース本体１の底部を半球形状２にし、尚且つ半球形状の底部におもり３を装着し、転倒を防止するとともに傾いても起き上がることとした。
【請求項２】
容器のふた４の内側部分に板状の突起部分５を取り付け、又トイレブラシ６の先端にフック７を取り付けることにより、容易に汚れたトイレブラシをブラシケースに収めることができる。
【考案の詳細な説明】
【技術分野】
【０００１】本考案は、トイレブラシケースの底部を半球形状にし、尚且つその底部におもりを装着することにより、傾いても置きあがる構造とする。
これにより、転倒したブラシケースを起こすために腰をかがめる等の余分な労力を省略することが可能になる。
又、容器のふたの内側部分に板状の突起部分を取り付け、ブラシの先端部分にフックを取り付けることにより、容易にブラシをケースに収めることができる。
【背景技術】
【０００２】従来のトイレブラシケースでは、使用時やトイレ内の掃除時にブラシケースが転倒する場合が非常に多く、ブラシケースを起こすために腰をかがめなければならない事が多く余分な労力が必要である。
又、便器洗浄後の汚れたブラシをケースに収める場合も、神経を使わなければならないことが多い。
【考案の開示】
【考案の詳細な説明】
【考案が解決しようとする課題】
【０００３】従来利用されてきたトイレブラシケースでは、ブラシケースの底部が平面であるために、ブラシの使用時やトイレ内の掃除の時にブラシケースが転倒する場合が多く非常に不便である。又、従来のトイレブラシではブラシケースへの収納時に、神経を使う必要があり面倒である。
【課題を解決するための手段】
【０００４】上記目的を達成するために、トイレブラシケースの底部を半球形状２にし、尚且つ半球形状の底部におもり３を装着した。又、容器のふたの内側部分に板状の突起部分５を取り付け、トイレブラシ６の先端にフック７を取り付ける。
【考案の効果】
【０００５】トイレブラシケースの底部がおもり３の装着した半球形状２であるために、転倒せず起き上がることとなる。又容器のふたの内側部分に板状の突起部分５を取り付け、又、トイレブラシの先端にフック７を装着しているために、フックを利用することにより、容易にトイレブラシをブラシケースに収めることができる。
【図面の簡単な説明】
【０００６】
【図１】トイレブラシケース及びトイレブラシを示した断面図である。
【図２】トイレブラシケース及びトイレブラシを示した平面図である。
【符号の説明】
【０００７】１  トイレブラシケース本体
２  ブラシケース底部（半球形状）
３  ブラシケース底部のおもり
４  容器のふた
５  ふたの突起部分
６  トイレブラシ
７  ブラシの先端フック
８  ふたの回転部分
【図１】
0003107233.tif 000002
【図２】
0003107233.tif 000003
【手続補正書】
【提出日】平成16年9月24日(2004.9.24)
【手続補正１】
【補正対象書類名】実用新案登録請求の範囲
【補正対象項目名】全文
【補正方法】変更
【補正の内容】
【実用新案登録請求の範囲】
【請求項１】
トイレブラシケース本体１の底部を半球形状２にし、尚且つ半球形状の底部におもり３を装着し、転倒を防止すると共に傾いても起き上がることとした起き上がりトイレブラシケース
【請求項２】
トイレブラシケースのふた４の内側部分に板状の突起部分５を取り付け、又トイレブラシケース６の先端にフック７を取り付けることにより、容易に汚れたトイレブラシをブラシケースに収納することができる請求項１記載の起き上がりトイレブラシケース
(57)【要約】      （修正有）【課題】カーペットを敷いた屋内において、床面上の任意の位置に簡単に取り付けることができ、しかも簡単に且つ痕跡を残さずに取り外すことができるように改良された蓄光標示具を提供する。【解決手段】常設照明からの光エネルギを蓄えて暗闇で自発光する蓄光標示具１を、繊維質の床材の表面に圧着・剥離可能なフック状係止部材を有する面ファスナ３の反フック面に蓄光性塗料の塗布面４を有するものとする。【選択図】図１
0003107887.tif 000002
【実用新案登録請求の範囲】
【請求項１】
常設照明からの光エネルギを蓄えて暗闇で自発光する蓄光標示具であって、
当該蓄光標示具は、繊維質の床材の表面に圧着・剥離可能なフック状係止部材を有する面ファスナの反フック面に蓄光性塗料の塗布面を有することを特徴とする蓄光標示具。
【請求項２】
常設照明からの光エネルギを蓄えて暗闇で自発光する蓄光標示具であって、
当該蓄光標示具は、不織布の長尺床材の表面に圧着・剥離可能なフック状係止部材を有する面ファスナの反フック面に蓄光性塗料の塗布面を有することを特徴とする蓄光標示具。
【考案の詳細な説明】
【技術分野】
【０００１】
本考案は、専らカーペットに取り付けられる蓄光標示具に関し、蓄光性塗料を塗布した面ファスナを利用した蓄光標示具に関するものである。
【背景技術】
【０００２】
近年、建築物が大型化し、照明が消失すると、通路や階段室などは日中でも殆ど暗闇になるということが珍しくない状況にある。このような建物において、特に地震や火災などの際に停電した場合には真の暗闇となるので、居住者は方向感覚を失う結果、冷静な判断力を失ってパニックを引き起こす恐れがある。
【０００３】
このような問題を解決するために、発光性塗料によって文字、図形、模様、写真等の発光性イメージをタイルカーペットの表面に印刷し、さらに印刷面に透明材質層を設けるようにした床材が、特許文献１に提案されている。
【０００４】
また別の構成として、蓄光塗料で誘導標示を現してなる誘導標示プレートを、タイルカーペットに開設した窓穴内に収納設置したものが、特許文献２に提案されている。
【特許文献１】特開２００２−１４２９５６号公報
【特許文献２】特開平８−３１２１０８号公報
【考案の開示】
【考案が解決しようとする課題】
【０００５】
しかるに、これらの従来の構成は、カーペットに発光標示部を加工しなければならないので、例えば標示位置を変更したい場合とか、標示形態を変更したい場合には、加工されたカーペットそのものを交換しなければならない。特にフェルト状の不織布カーペット（所謂ニードルパンチカーペット）のような長尺床材の場合は、一部のみを変更したい場合でも全体を交換しなければならない。タイルカーペットならば部分的に交換可能ではあるが、蓄光加工したカーペットの再利用は実質的に不可能である。つまりカーペットに直接加工する従来のものは、変更したい場合に融通が利かず、極めて不経済であった。
【０００６】
本考案は、このような従来技術の不都合を解消すべく案出されたものであり、その課題とするところは、例えばカーペットを敷いた屋内において、床面上の任意の位置に簡単に取り付けることができ、しかも簡単に且つ痕跡を残さずに取り外すことができるように改良された蓄光標示具を提供することにある。
【課題を解決するための手段】
【０００７】
このような課題を解決するために本考案は、常設照明からの光エネルギを蓄えて暗闇で自発光する蓄光標示具を、繊維質の床材、特に不織布の長尺床材の表面に圧着・剥離可能なフック状係止部材を有する面ファスナの反フック面に蓄光性塗料の塗布層を有することを特徴とするものとした。
【考案の効果】
【０００８】
このような本考案によれば、面ファスナを応用して蓄光標示具を簡単に着脱自在に構成することができるので、既に敷かれた織布又は不織布からなる繊維質のカーペットに何ら損傷を与えずに後施工で蓄光標示面を簡単に設けることができる。即ち本考案により、蓄光標示具を汎用化してその用途を拡大し、且つ使い勝手を高める上に多大な効果を奏することができる。
【考案を実施するための最良の形態】
【０００９】
以下に添付の図面を参照して本考案について詳細に説明する。
【００１０】
図１は、本考案に基づき構成された蓄光標示具を示している。この標示具１は、Ｊ字形をなす多数のフック２が植設された面ファスナ３の反フック側の面に、例えばシルクスクリーン印刷法などで蓄光性インクの塗布層４を成膜してなるものである。標示具１は、床面に敷設された織布或いは不織布のカーペット５上で標示が必要な箇所に、蓄光性インクの塗布層４で形成した標示面が表側になるように置き、裏面側のフック２でカーペット５の繊維６を絡めるようにして取り付けられる。
【００１１】
蓄光性インクに用いる蓄光材としては、アルカリ土類アルミン酸塩を母体結晶とし、ユウロピウム（Ｅｕ）を賦活剤とし、そしてデスプロシウム（Ｄｙ）、又はネジウム（Ｎｄ）を賦活助剤とした酸化物系蓄光材と、ＣａＳ：Ｂｉ（紫青色発光）、ＣａＳｒＳ：Ｂｉ（青色発光）、ＺｎＳ：Ｃｕ（緑色発光）、ＺｎＣｄＳ：Ｃｕ（黄色〜橙色発光）等の硫化物蛍光体からなる硫化物系蓄光材とが知られているが、これらを適宜に混合することにより、多彩な発光の態様を得ることができる。
【００１２】
本考案の標示具１は、被取付物の表面が幾分か毛羽だった繊維質であれば、その表面の風合いや製造法に関わらずに圧着でき、しかも簡単に痕跡を残さずに剥離できるので、表面を痛めることもなく、再利用にも何ら支障がない。
【００１３】
例えば、カーペット５が貼られた床上に取り付けた配線保護カバーなどのように、床面からの突出物の近傍に本発明の標示具１を貼り付けておけば、暗闇で発光して注意を促すので、躓きを未然に防ぐことができる。また工事現場での仮設事務所の床などに案内表示をしておけば、不慣れな場所で夜間に迷うこともない。
【００１４】
蓄光性インクの塗布層４の形状は、種々のマークとすることもできるし、文字とすることもできる。また、標示具１を独立した形態に構成し得るので、様々な文字やマークを付したものを様々なサイズで製造しておけば、場所に応じて適宜に選択して使用できるので、高い汎用性が得られる。
【産業上の利用可能性】
【００１５】
本項案に関わる標示具１は、上記したカーペット５が敷かれた床面に限らず、例えば布地を貼り付けたパーティションなどにも広汎に適用可能である。
【図面の簡単な説明】
【００１６】
【図１】本考案による蓄光標示具の取付状体を示す要部斜視図である。
【符号の説明】
【００１７】
１  標示具
２  フック
３  面ファスナ
４  塗布層
５  カーペット
６  繊維
【図１】
0003107887.tif 000003
(57)【要約】【課題】  特に、公衆便所における清掃上の手間を省き、水洗による清掃を可能とする便器及び便室の改善。【解決手段】  水洗用和式大便器の、通常は、床上に数１０ミリメ−ト高くなっている周縁部の後方一部に凹部を形成し、この凹部が床面と同一若しくは多少低くなるように該凹部に向かって全周囲から傾斜する床面を形成する便室で使用し、課題を解決している。【選択図】      図２
0003107836.tif 000002
【実用新案登録請求の範囲】
【請求項１】
大便器の後方周縁部の一部に床面と同一高さ或は多少低くなるように配置する凹部を形成して成り、床面が該凹部に向かって四方全周囲から傾斜している便室で使用することを特徴とする水洗用和式大便器。
【考案の詳細な説明】
【技術分野】
【０００１】  本考案は室内の清掃を容易にする和式大便器に関するものである。
【背景技術】
【０００２】  従来の水洗用和式便器は、便器の周縁部が全て床面より若干高くなるように構成されているものが全てであった。
【考案の開示】
【考案が解決しようとする課題】
【０００３】  本考案は公園、駅等の公衆便所における清掃上の問題点即ち清掃時には便器或は便室内の汚物，汚れを一度紙などで除いてから、掃除具を使用して何度も拭き取る等の作業が必要であり、亦、便室内の床上に水を撤いて水洗しようとしても、便器の周縁部が床上に突出しているために水が床上に残り、水洗ができない状況にあることを解消するものである。
【課題を解決するための手段】
【０００４】  水洗用和式大便器の周縁部後方の一部に凹部を設け、該凹部の底上面を便室の最低床面と同一或は多少低くなるように配置し、該最低床面に到る床面に四方から傾斜をつけて便室を構成し、該便器を使用することで課題を解決するものである。
【考案の効果】
【０００５】  上述のように、大便器の一部が、傾斜している便室の床面の最低位置にあるので、便室内に水を撒いて清掃を行なっても、水は最終的に便器の凹部から排水され、水洗により極めて容易に且つ清潔な清掃が可能となり、公衆便所等の衛生を維持できる効果がある。
【考案を実施するための最良の形態】
【０００６】  以下、図面に示す実施例に従って本考案の実施態様について説明する。
図おいて、和式大便器１の床上に位置する周縁部後方の一部に凹部２を形成し、この凹部２に向かって、この位置が最低の位置になるように水抜き勾配４をもって便室の四方から傾斜する床５の表面を形成するものであり、床５の表面が傾斜しているために水平面を保つ足台３を設けるものである。【０００７】  便室内の床５と和式大便器１が上述のように形成されているので、清掃時には水を撒いて例えばデッキブラシ等により掃除を行い、使用される水は最終的に凹部２から和式大便器１内に自然に流れ込み排水されるので、水洗に依る極めて容易且つ清潔に清掃ができることになる。
本考案においては、水洗便所における和式大便器と言う限定されたものに限られるが、現状の和式大便器利用状態からみても有効であり、公衆便所に限らず一般の家庭或は飲食店等においても利用価値がある。
【図面の簡単な説明】
【０００８】
【図１】  本考案の一実施例における外観概念図である。
【図２】  同横断面図である。
【図３】  同凹部を示す断面図である。
【符号の説明】
【０００９】１    和式大便器
２    凹部
３    足台
４    水抜き勾配
５    床
【図１】
0003107836.tif 000003
【図２】
0003107836.tif 000004
【図３】
0003107836.tif 000005
(57)【要約】【課題】  繰り返し使用を可能にすると共に、効率的な備蓄を可能とする土のうを実現する。【解決手段】透水性を有する素材より構成された袋体１内に高吸水性ポリマーＰを収容した土のうにおいて、袋体に開閉具４により開閉可能な開口部３を設ける。【選択図】      図１
0003107835.tif 000002
【実用新案登録請求の範囲】
【請求項１】
透水性を有する素材より構成された袋体内に高吸水性ポリマーを収容した土のうにおいて、袋体に開閉具により開閉可能な開口部を設けたことを特徴とする土のう。
【請求項２】
透水性を有する素材より構成された袋体内に高吸水性ポリマーを収容し、袋体に開閉具により開閉可能な開口部を設けた土のうにおいて、土のうを構成する袋体を目の粗い生地により構成すると共に、その全面に透水性は有するが顆粒状の高吸水性ポリマーの通過は許さない程度の目の細かさを有する生地を裏打ちしたことを特徴とする土のう。
【請求項３】
開閉具としてファスナーを採用した請求項１又は２記載の土のう。
【請求項４】
袋体同士を連結するためのボタンホールを袋体に設けた請求項１から３の何れかに記載の土のう。
【考案の詳細な説明】
【技術分野】
【０００１】
この考案は水害対策に使用するための土のう（土嚢）に関し、より詳細には袋体内に収容した高吸水性ポリマーを吸水させて膨潤させて充填材に使用する水のう機能を有する土のうに関する。
【背景技術】
【０００２】
水害時の水止めや水路の確保、崖崩れ防止、建物や地下室への浸水防止、田畑の防水対策等、幅広い分野において土のうが使用されている。従来、この種の土のうは文字通り、麻布等の袋体の中に土砂を充填したものが使用されていたが、近年では取り扱いや、管理の容易さから、袋体内に収容した高吸水性ポリマーを吸水させて膨潤させて充填材に使用する水のう機能を有するタイプのものが広く使用されるに至っている（特許文献１〜３）。
【０００３】
又、高吸水性ポリマーに関し淡水に反応して膨潤するものの他に、海水に対しても反応して膨潤を行うものも公知である（特許文献４）。
【特許文献１】実願昭６２−４４２９７号（実開昭６３−１５１５２３）のマイクロフィルム
【特許文献２】実公平６−４９６０５号公報
【特許文献３】特開２００１−４９６３５号公報
【特許文献４】特開２００１−１５９１１４号公報
【考案の開示】
【考案が解決しようとする課題】
【０００４】
高吸水性ポリマーを使用した前記の土のうは吸水前はほぼ平面状なので保管や運搬が極めて容易であり、しかも使用にあたっては袋体内に収容した高吸水性ポリマーを吸水させるだけで自動的に膨潤して土のうが完成するので取り扱いが容易な利点を有する。
【０００５】
この場合、一旦高吸水性ポリマーを膨潤させて使用に供した土のうは、そのままの状態では嵩が大きいので、次の使用に備えて備蓄しておくことは保管コスト上現実的ではなく、勢い一回の使用で廃棄せざるを得ず、リサイクルの観点上問題があった。又、廃棄に際しては、嵩が大きく、更に内部にゲル化した高吸水性ポリマーが存在するのでそのまま廃棄するわけにいかず、袋体を破壊してゲルと袋体に分離して廃棄しなければならず、廃棄に際し手間を要する問題点があった。
【０００６】
一方、淡水用の土のうの他、海水用の土のうも提案されていることは前記した通りであるが、例えば川の氾濫等の淡水による水害と高波等の海水による水害の両者が想定される地域においては、淡水用の高吸水性ポリマーを収容した土のうと、海水用の高吸水性ポリマーを収容した土のうの２種を備蓄しておかなくてはならない不便さがあった。
【課題を解決するための手段】
【０００７】
この考案は以上の従来技術の問題点を解消した土のうを提供することを目的としたものであり、透水性を有する素材より構成された袋体内に高吸水性ポリマーを収容した土のうにおいて、袋体に開閉具により開閉可能な開口部を設けたことを特徴とする。
【考案の効果】
【０００８】
よって、この考案の土のうによれば、一旦高吸水性ポリマーを膨潤させて使用に供した土のうは開閉具により開口部を開けて、そこから溶解剤を投入して内部のゲルを処理した後、ゲルを排出すればゲルと袋体を容易に分離することが可能となり、しかも袋体は破壊されないので、それを再使用することが可能となり、使用後の後処理の手間が軽減されると共にリサイクル可能な土のうを得ることができる。
【０００９】
又、開閉具により開口部を開けることにより内部に収容した高吸水性ポリマーを容易に出し入れできるので、一枚の袋体に対して高吸水性ポリマーを交換することにより淡水用の土のうにも海水用の土のうにも仕様変更できるので、効率的な備蓄が可能となる。
【考案を実施するための最良の形態】
【００１０】
以下、この考案の具体的実施例を添付図面に基づいて説明する。図１はこの考案の土のうの一例を示す図である。図中符合１は袋体であり、ここでは背折りした一枚の用布の三方端を縫着・封止することにより密閉した袋体を構成している。この場合、この考案においては封止箇所の一部に開閉具４により開閉する開口部３を設けており、これがこの考案の特徴部分となる。開閉具４は開口部３を密閉状態で閉止することを可能にし、しかも袋体の膨張時の内圧によって開放しないものでなければならず、そのようなものとしてここではファスナーは例示する。
【００１１】
袋体１を構成する素材は透水性及び強度、積み重ねた際の摩擦力、それに廃棄時の焼却容易性を考慮してこの考案では麻織物を想定している。一方、後記するように袋体内に収容する高吸水性ポリマーは顆粒状で、そのままでは目の粗い生地からなる袋体１から外部にこぼれ落ちるおそれがあるので、図３に示すようにここでは袋体１の全面に透水性は有するが顆粒状の高吸水性ポリマーの通過は許さない程度の目の細かさを有する生地（ここでは綿布を想定している）を裏打ちしている。
【００１２】
以上の袋体１には、図２に示すように開閉具４により開口した開口部３から所定の高吸水性ポリマーＰが内部に収容される。上記高吸水性ポリマーＰは吸水により膨潤してゲルＰＧとなり袋体１を膨張させて土のうを完成させる（図４参照）。尚、高吸水性ポリマーＰ自体は公知のものなので、ここでは詳説しないが、一例としてこの実施例ではアクリル酸重化合物メトリウム塩等のポリアクリル酸系吸水性ポリマーを顆粒状にしたものを例示する。
【００１３】
尚、図中符合５は土のう同士を連結するためのボタンホールであり、袋体１の周縁の適宜位置に配される。
【図面の簡単な説明】
【００１４】
【図１】この考案の土のうの平面図。
【図２】同上、高吸水性ポリマーを収容する状態を示す斜視図。
【図３】同上、袋体の断面図。
【図４】同上、土のうの完成状態を示す断面図。
【符号の説明】
【００１５】
１        袋体
３        開口部
４        開閉具
Ｐ        高吸水性ポリマー
【図１】
0003107835.tif 000003
【図２】
0003107835.tif 000004
【図３】
0003107835.tif 000005
【図４】
0003107835.tif 000006
(57)【要約】      （修正有）【課題】市販されているペットボトルを利用して、液体中に陳列物を展示し、簡単な操作によって、陳列物を上下に移動させて楽しむ。【解決手段】陳列物を吊り下げる浮子の内部に、気体を貯留する部分（気体貯留部）を備える。気体貯留部の下部に、液体が流出入できる穴を設け、液体中の圧力によって、気体の体積が変化できる形態とする。浮子と吊り下げた陳列物を、液体を満たしたペットボトルの中に収納する。ペットボトルの任意部分を圧迫して、内部の液体に圧力を加える。液体中の圧力に応じて、気体貯留部に液体が流出入して、気体の体積が変化する。気体の体積変化によって、浮子の浮力が変化し、浮子と共に陳列物が上下に移動する。ペットボトルの圧迫を止めると、浮子は、ペットボトルの口部分に浮上して納まり、陳列物は、常に一定の位置に展示される。【選択図】図１
0003107854.tif 000002
【実用新案登録請求の範囲】
【請求項１】
気体を貯留できる部分（気体貯留部）を備えたことを特徴とする浮子。
【請求項２】
気体貯留部の下部に液体が流出入できる穴を設けたことを特徴とする請求項１の浮子。
【請求項３】
飲料の市販に使用されているペットボトルに液体を満たし、最上部に浮かばせている状態で、ペットボトルの口部分に納まりやすい形状および大きさを特徴とする請求項２の浮子。
【考案の詳細な説明】
【技術分野】
【０００１】  圧力による液体と気体の体積変化に関する。
液体中の物体に働く浮力に関する。
作用する部分の形状による力の分力に関する。
【背景技術】
【０００２】  特定の機能を持った陳列物や動力などを使用して、液体中の陳列物を移動させることは、行われているが、飲料の市販に使用されているペットボトルの中に、当事者固有の陳列物を展示し、ペットボトルの任意部分を圧迫するだけの簡単な操作で、上下に移動させることは、行われていない。【０００３】  ペットボトルの口部分が、せばまっている形状を利用して、定常時における陳列物の展示位置を一定に維持するのは、初めての工夫である。
【考案の開示】
【考案が解決しようとする課題】
【０００４】  ペットボトルの液体中に、当事者固有の陳列物を展示し、簡単な操作によって、上下に移動させる。
操作を行わない定常の状態において、陳列物を一定の位置に展示する。
【課題を解決するための手段】
【０００５】  当事者固有の陳列物を、液体を満たして密閉したペットボトルの中に、気体を貯留した部分（気体貯留部）を持つ浮子に吊り下げて展示する。【０００６】  ペットボトルの任意部分を圧迫し、力の強弱によって、液体中の圧力を変化させる。
気体貯留部の下部に液体が流出入できる穴を設けて、圧力に応じて液体を流出入させ、気体の体積を変化させる。
気体の体積変化によって、浮子に働く浮力が変化し、吊り下げた陳列物と共に、上下に移動する。【０００７】  浮子の上部は、ペットボトルの最上部に浮上した時に、ペットボトルがせばまっている形状を利用して、中央の口部分に移動して納まりやすいよう、円筒形などの形状および大きさとする。
【考案の効果】
【０００８】  当事者固有の陳列物を、ペットボトルの中に展示できる。
ペットボトルの任意部分を圧迫し、力の強弱を調節することによって、陳列物が上下に移動させられる。
ペットボトルの圧迫を止めると、陳列物は、常に一定の位置に展示される。
【考案を実施するための最良の形態】
【０００９】  ペットボトルは、炭酸飲料などの市販に使用されているような、圧力に対して外形を維持する特性を持っているものを、選択して利用する。
液体中において、浮子の浮力と陳列物の重さを均衡させ、力を加えない状態で浮子の上面が、液体の上面を僅かに越える状況とする。【００１０】  浮子の上部は、ペットボトルの口部分に、多少の隙間を維持して納まる円筒形などとし、高さなどは、必要な浮力に対応して調節する。
【図面の簡単な説明】
【００１１】
【図１】        請求項３の浮子と陳列物の概略を示した立体図である。
【符号の説明】
【００１２】  １：浮子            上部の形状は、直径２０ｍｍ以下の円筒形などとする。
高さは、概ね３０ｍｍ程度で、必要な浮力に対応して調節する。
２：気体貯留部      気体を貯留できる浮子の中空部分。
３：液体出入口      気体貯留部に液体が流出入できる穴。
下部の底面または側面に設ける。
４：陳列物          当事者固有の品物。
ペットボトルに収納できる条件を除いて、形状などは自由。
【図１】
0003107854.tif 000003
【手続補正書】
【提出日】平成16年5月25日(2004.5.25)
【手続補正１】
【補正対象書類名】実用新案登録請求の範囲
【補正対象項目名】請求項１
【補正方法】変更
【補正の内容】
【請求項１】
内部に中空の部分（気体貯留部）を備えたことを特徴とする浮子。
【手続補正書】
【提出日】平成16年9月28日(2004.9.28)
【手続補正１】
【補正対象書類名】実用新案登録請求の範囲
【補正対象項目名】請求項１
【補正方法】変更
【補正の内容】
【請求項１】
内部を中空にして気体を貯留できる気体貯留部を備えたことを特徴とする浮子。
【手続補正２】
【補正対象書類名】実用新案登録請求の範囲
【補正対象項目名】請求項３
【補正方法】変更
【補正の内容】
【請求項３】
ペットボトルに液体を満たし、最上部に浮かばせている状態で、ペットボトルの口部分に納まり易い形状および大きさを特徴とする請求項２の浮子。
(57)【要約】      （修正有）【課題】船底に設置して、船体の浮上によって船舶運行の障害にならず、バラスト水もいらなくなるので、船内に水槽を設置する必要が無くなり、海洋生物の移動も防止出来る水流推力発生装置を提供する。【解決手段】筒体を二重にして、水流を発生させる為に、内部筒を、大径、小径の二段連結構造とにして、入流側を小径筒、噴出側を大径筒にして、大径筒内に飽和蒸気を吹込み減圧えきを作り、小径筒より水流を呼ぶために、発生時に大径筒噴出口を一時弁によって、閉じるが、自在に動くようにして、水流発生後は、上に押し上げて、開くようにして噴出口を開く、水流発生後は両側板によって、はさみ込んで振動を防ぐ、以上可動する部材を極力少くして、水流を発生させて、その作用、筒体に生ずる反動力を利用するものである。【選択図】図５
0003107859.tif 000002
【実用新案登録請求の範囲】
【請求項１】
二重筒、内筒二段、小径大径接続、大径筒内、蒸気噴入、水流発生装置。
【請求項２】
二重筒水流発生筒体、直列多段接続、噴流発生筒体の反動力応用、推力発生装置。
【請求項３】
二重筒水流発生筒体応用、水底沈泥浚渫用、吸引装置。
【考案の詳細な説明】
【技術分野】
【０００１】  筒体内に機械部品を、設置せずに、筒を小径大径二段に連結、大径筒内に飽和蒸気を噴入し減圧域を発生させ、大径筒噴出口に逆流防止の自在弁を設置して、小径筒よりの水流を発生させる。筒を二重にすることで、内筒の水流に誘発されて、外筒の水流がおきる。以上の装置を数段直列にして作動させることで、水流が安定して水量が増幅する。
本装置を、直列に、又並列に連結して反動力を増幅して船舶の推進動力に利用する。
〔背景技術〕【０００２】従来、貨物船等は、船体の浮上で起きる問題の解決に、船内に水槽を設置して、大量の水を積み込むことで、対応した為に新たな大問題が発生した。
〔考案の開示〕
〔考案が解決しようとする課題〕【０００３】現在、世界的に問題になっている、海洋生物がバラスト水によって各地に運ばれ、生態系の異常が環境破壊を引き起こしている。此の問題は船舶の推進動力に、スクリュウの回転作用で発生する推力を利用しているからである。本装置を船底に設置すれば、船体の浮上によって船舶運行の障害にならない、バラスト水もいらなくなるので、船内に水槽を設置する必要が無くなる、海洋生物の移動も防止出来る。
〔課題を解決するための手段〕【０００４】本装置を設置するために、船底に平坦な相当面積の広さが必要となります。船舶の動力として、必要な推力を発生させるために、本装置を直列多段に連結する、又並列多数に連結して設置する。【０００５】制動装置とするには、本装置を反対方向に設置する。【０００６】本装置の稼働に必要な、蒸気の供給は、船内に蒸気発生装置を設置して、導管を接続して駆動する。
〔考案の効果〕【０００７】本装置を設置すれば、貨物船等のバラスト水を積む為の水槽が不要になって、積み荷容量が増加する。【０００８】バラスト水の注排水の時間が節約出来る。【０００９】船舶等の引き起こした、海洋生物の移動や、異常増殖、環境破壊等の諸問題解決に是非採用すべき装置である。
〔考案の実施するための最良の形態〕【００１０】船底に本装置を設置し、装置保護の為に、強固な補強材を装備する。装置の駆動するための導管は、船外より配管して接続する。
本装置を船底に設置して稼働させるのに、船内に蒸気発生装置を設置して、蒸気を供給する。導管は効率の低下を防ぐ為に保温をする。
【図面の簡単な説明】
【００１１】〔図１〕本装置を船底に設置した姿図
〔図２〕ＡーＡ断面図
〔図３〕本装置の略図
〔図４〕本装置の略図
〔図５〕本装置の内筒全体透視図
〔図６〕本装置の中間部分拡大図
〔図７〕ＤーＤ断面図
〔図８〕噴出口拡大図
〔図９〕噴出口平面透視図
〔図１０〕本装置利用浚渫図
〔図１１〕本装置浚渫用改造透視図
〔図１２〕同上吸入口透視図
〔図１３〕本装置吸入口拡大図
【符号の説明】
【００１２】１    船舶
２    船腹
３    船底
４    装置保護補強材
５    本装置
６    蒸気導管
７    蒸気吸入管
８    蒸気噴出口
９    小径内筒
１０  大径内筒
１１  装置底板
１２  起流逆流防止自在弁
１３  振動防止板
１４  自在弁蝶番
１５  自在弁止
１６  流入口整流羽
１７  継ぎフランヂ
１８  排出ホース
１９  操作アーム
２０  作業船
２１  浚渫用中間整流弁
２２  蒸気発生装置
【図１】
0003107859.tif 000003
【図２】
0003107859.tif 000004
【図３】
0003107859.tif 000005
【図４】
0003107859.tif 000006
【図５】
0003107859.tif 000007
【図６】
0003107859.tif 000008
【図７】
0003107859.tif 000009
【図８】
0003107859.tif 000010
【図９】
0003107859.tif 000011
【図１０】
0003107859.tif 000012
【図１１】
0003107859.tif 000013
【図１２】
0003107859.tif 000014
【図１３】
0003107859.tif 000015
【手続補正書】
【提出日】平成16年7月6日(2004.7.6)
【手続補正１】
【補正対象書類名】実用新案登録請求の範囲
【補正対象項目名】全文
【補正方法】変更
【補正の内容】
【実用新案登録請求の範囲】
【請求項１】
二重筒体の内に、  大、小径の連結筒体を作る。
大径筒体内部に、蒸気を噴出させ減圧させる。連結した小径筒とは反対側を、自在弁で塞ぐことによって小径筒より水流をよぶ、大径筒内に、連続して蒸気を供給することで水流を連続させる。
同じ装置を直列に数段並べ、途中の装置には自在弁をつけない。
以上の装置によって、筒体に水流を発生させる装置である。
【請求項２】
上記の水流発生装置を筒状に束ねて、直列多段に設置することで筒体に発生した反動力を増大させて船舶の推進動力に利用する。装置を円形台座に固定し自由に方向を変えることが出来るようにする。
【請求項３】
上記の装置の吸引力を応用して、河川や港湾の浚渫に利用する。
【手続補正書】
【提出日】平成16年9月29日(2004.9.29)
【手続補正１】
【補正対象書類名】実用新案登録請求の範囲
【補正対象項目名】全文
【補正方法】変更
【補正の内容】
【実用新案登録請求の範囲】
【請求項１】
大径筒とやや長めの小径筒を接続する大小の二段筒体をつくる、大小の径差を塞ぎその部位に蒸気吸入管を挿入して二段筒体を三段直列にする、途中の小径筒内にＶ型の整流羽を配置して最後部の大径筒口を自在弁にて塞ぐ、この直列二段筒体を大きな筒にて覆い一体にした水流発生装置。
【請求項２】
請求項１の水流発生装置の筒体に発生する反動力を、船舶に利用して推進力とするために装置を並列複数に束ねて一体化して直列多段に船舶に設置する推進装置。
(57)【要約】【課題】本考案は平面幾可学において任意の角度を正素数等分することを課題とした。【解決手段】従来のコンパスの中心に一脚を加えることにより三脚式コンパスを使用することによって解決した【選択図】図１
0003107852.tif 000002
【実用新案登録請求の範囲】
【請求項１】
三脚式分割コンパスを用い、任意の角度を正素数等分するためのコンパスである。
【考案の詳細な説明】
【技術分野】
【０００１】本考案は平面幾可学において、任意の角度を正素数等分するための作図用具である。
【背景技術】
【０００２】任意の角度の三等分は、直線定規とコンパスだけでは作図出来ない。
【考案の開示】
【考案の解決しようとする課題】
【０００３】任意の角度の正素数等分及び正素数角形の作図が出来るようにする。
【課題を解決するための手段】
【０００４】従来のコンパスの中心に一脚を加え三脚式とすることで解決した。
【考案の効果】
【０００５】任意の角度を正素数（例、３、５、７、１１、１３、１７・・・）等分することが可能となった。
【考案を実施するための最良の形態】
【０００６】図１に示すような三脚式コンパスを作る。
中心部Ａは固定、左右ＢＣは一体であり連動する
【実施例】
【０００７】図２に任意の角度Ｎの三等分の手順を示す。
▲１▼角度Ｎ（∠ＸＯｙ）を作図する。
▲２▼∠ＸＯｙの二等分線Ｏｌを作図する。
0003107852.tif 000003
▲４▼分割コンパスの中心部分の頂点Ａを点Ｏに固定する。
▲５▼分割コンパスの他の頂点Ｂを線ＯＸ上を移動させればもう一つの頂点ＣはＢと連動するので線分Ｏｍとの交点Ｐが得られる
▲６▼Ｎ角の中心である点Ｏと点Ｐを直線定規によって結ぶ
以上の作図によって得られた∠ＸＯＳが求める１／３Ｎ角である。
【図面の簡単な説明】
【０００８】
【図１】本考案の三脚式分割コンパスの構造を示す。
【図２】本考案の実施例（任意の角度の三等分）を示す。
【符号の説明】
【０００９】Ａ：分割コンパスの中心頂点      ｘ：線分    ｌ：∠ＸＯＹの２等分線
Ｂ：分割コンパスの左部頂点      ｙ：線分    ｍ：線分ｌの平行線
Ｃ：分割コンパスの右部頂点                  ｎ：線分ｌの平行線
Ｓ∠ＸＯｙの３等分する線        Ｏ：角度Ｎの頂点
ｔ∠ＸＯＹの３等分する線        Ｐ：頂点Ｃと線分ｍの交点
Ｑ：頂点Ｂと線分ｎの交点
【図１】
0003107852.tif 000004
【図２】
0003107852.tif 000005
(57)【要約】      （修正有）【課題】断水することなく水の湧出もなく短時間で簡単にサドル付分水栓を取替えることができるサドル付き分水栓取替機を提供する。【解決手段】水道管にバンドで固定しスライドバーにより既設サドルと新設サドルを一緒に移動できるようにした。【選択図】図２
0003107856.tif 000002
【実用新案登録請求の範囲】
【請求項１】
水道管の大きさにあう  固定金具を作り上部にヒンジを設け  押し出せるようにスライドバーをつける。
【請求項２】
真鍮で中をくり抜きバネをいれ  既設穴に一致したら  バネの力で芯が落ち蓋となるようにした。
【考案の詳細な説明】
【技術分野】          機械工学【０００１】
【背景技術】
【０００２】
【考案の開示】
【考案が解決しようとする課題】
【０００３】サドル付分水栓を取替える時  断水及び作業員が水びたしになるという問題点があった。
【課題を解決するための手段】取替える分水栓の後方に  本考案を組み立て  スライドバーを前方に倒すようにした。
【考案の効果】断水することなく  水の湧出もなく  短時間で簡単にサドル付分水栓を取替えることができる。
【図面の簡単な説明】
【図１】本考案の斜視図である。
【図２】本考案の組み立て図である。
【図３】ストッパーの詳細図である。
【符号の説明】
▲１▼    スライドバー
▲２▼    固定金具
▲３▼    ストッパー
▲４▼    誘導リング
▲５▼    芯
▲６▼    バネ
【図１】
0003107856.tif 000003
【図２】
0003107856.tif 000004
【図３】
0003107856.tif 000005
【手続補正書】
【提出日】平成16年7月1日(2004.7.1)
【手続補正１】
【補正対象書類名】実用新案登録請求の範囲
【補正対象項目名】全文
【補正方法】変更
【補正の内容】
【実用新案登録請求の範囲】
【請求項１】
水道管の口径にあう  鋼管上部にヒンジを設け鉄棒で移動させ既設止水栓が移動できるようにした移動用サドル付き分水栓取替機
【請求項２】
筒型の真鍮で中をくり抜きバネを入れ  既設穴に一致したらバネの力で芯が落ち止水できるようにした止水用サドル付き分水栓取替機
【手続補正書】
【提出日】平成16年9月30日(2004.9.30)
【手続補正１】
【補正対象書類名】実用新案登録請求の範囲
【補正対象項目名】全文
【補正方法】変更
【補正の内容】
【実用新案登録請求の範囲】
【請求項１】
鋼管で  既設水道管を上下から挟み込みボルトで固定出来るようにした固定金具▲２▼上部に  ヒンジを設けスライドパー▲１▼で  既設サドル分水栓、新設サドル分水栓を前方に押し出せるようにし又位置がずれないように  誘導リング▲４▼を取り付けた  移動用サドル付き分水栓取替機
【請求項２】
筒型の真鍮の中をくり抜き  真鍮製の芯▲５▼を入れステンレスバネ▲６▼を組み合わせ  上部にストッパー▲３▼を取り付けバネの作用で既設穴に一致したら芯が下がり止水出来るようにした止水用サドル付き分水栓取替機
(57)【要約】【課題】リングによるかしめ、工具を使用せず、簡単にコネクターと同軸ケーブルを固定する。ＲＦ端子との接続を簡単にする。プッシュ式にした場合スリットが入った筒状部分が使用中に広がる欠点がある。メーカーによりＲＦ端子の径が多少違う、これに対応する。コネクターから同軸ケーブルを抜けにくくする。【解決手段】従来は同軸ケーブルとコネクターの固定をリングでかしめているが、プラスチック製又は金属製の締付金具を使用、簡単に取り付けできるようにする。ＲＦ端子との接続はプッシュ式にして簡単にする。プッシュ式のスリットが入った筒状部分の広がりはプラスチック製キャップでおさえる。ＲＦ端子のメーカーによる径の違いもプラスチック製キャップで対応できる。【選択図】図１
0003107877.tif 000002
【実用新案登録請求の範囲】
【請求項１】
シェルとプラグを一体化８し部品点数、加工手間を少なくした、ことを特徴とする同軸ケーブル用プッシュ式コネクター
【請求項２】
プッシュプラグの筒状部分にプラスチック製キャップ１４をつけたことを特徴とする同軸ケーブル用プッシュ式コネクター
【請求項３】
同軸ケーブルの外皮が必要以上にスリーブに挿入された場合に逃げ場６を設けた同軸ケーブル用プッシュ式コネクター
【考案の詳細な説明】
【発明の詳細な説明】
【技術分野】
【０００１】この発明は同軸ケーブルとコネクターの固定をプラスチック製又は金属製の締付金具にして取り付けを簡単にして、リングによるかしめは使用せず、コネクターをプッシュ式にしＲＦ端子に簡単に接続できるようにした同軸ケーブル用プッシュ式コネクターに関するものである。
【背景技術】
【０００２】最も多く使われているのは屋内用のＦ型コネクター図５、で同軸ケーブルの固定はリング２２でかしめている、
同様使用目的のプラスチック製外殻の取り付け用Ｌ型プッシュプラグは一般の人に使われている。
Ｆ型コネクター図５はＲＦ端子にコネクターと一体となっている接続ナット２３で固定される。
同軸ケーブルとコネクターが一体成型されたものも販売されているが長さが固定されてしまい自由度が少ない。
【考案の開示】
【考案が解決しようとする課題】
【０００３】リング２２によるかしめ、工具を使用せず簡単にコネクターと同軸ケーブルを固定する。
ＲＦ端子との接続はワンタッチにして簡単にする。
プッシュ式にした場合スリット２８が入った筒部分が広がる欠点がある。
メーカーによってＲＦ端子の径が違い、プッシュ式の筒の径が合わない場合がある。
スリットのないものもあるが筒部分の内部にスプリングありＲＦ端子に接触し固定するがスプリングが使用するうちにへたってしまう。
【課題を解決するための手段】
【０００４】リング２２でのかしめをやめ、プラスチック製又は金属製の締付金具３でコネクターと同軸ケーブルを固定して取り付けを簡単にする。
同軸ケーブルの外皮が締付金具で締め付けた場合外皮の挿入状態により逃げ場を失い締付に不都合が生じる、これを防ぐために図の部分を設け逃げ場６を設けた。
従来のＦ型コネクター図５を改良、ＲＦ端子との接続はプッシュ式３１にして、スリーブの形状を先端から約２／３をストレート９にし、約１／３を図のように角度１０をつけプラスチック製又は金属製の締付金具の内部角度３０をスリーブの角度１０に合わせ差し込まれた同軸ケーブル２５を固定する。
プッシュ式プラグ３１のスリット２８の入った筒部分の広がり、メーカーによるＲＦ端子の、径の多少の違いも柔らかめのプラスチック製キャップ図４でおさえる。
【考案の効果】
【０００５】リング２２によるかしめがなくなって、かしめ工具は必要なくなり、プラスチック製又は金属製の締付金具は手で締められ、ケーブルがすっきりし、配線がスマートになった。
プラスチック製締付金具は着色が自在である。
ＲＦ端子との接続はプッシュ式で簡単になり、筒部分のスリットの広がりはプラスチック製のキャップで押さえ、ＲＦ端子のメーカーによる径の多少の違いもプラスチック製キャップで対応できる。
同軸ケーブルを差し込むテーパーの角度のある部分約１／３とストレートの部分の約２／３より締付金具が有効に作用して同軸ケーブルとコネクターは確実に固定される。
【考案を実施するための最良の形態】
【０００６】この発明の新型同軸ケーブル用コネクターは３ケの部品から構成されている。シェル図３とプラスチック製又は金属製締付金具図２とプラスチック製キャップ図４である。シェルは図のような形状で同軸ケーブルの差し込まれる部分の形状は約２／３がストレート９で約１／３に角度１０がつけてありこの角度の部分に差し込まれた同軸ケーブルの外皮２５にプラスチック製又は金属製の締付金具の内部角度３０があたり同軸ケーブルの抜けを押さえる。
同軸ケーブルの外皮が挿入状態により締付金具で締め付けた場合必要以上に外皮が中に入り締付ができなくなることもある、これを防ぐため図のように逃げ場６を設ける。
プラスチック製の締付金具の素材は硬く割れにくい素材が良い。
最近、同軸ケーブルの外皮は塩化ビニールが公害の問題で使用を控えており、ポリエチレンの使用が増えている。ポリエチレンは硬く、テーパーを長く取ると入りにくく、同軸ケーブルの入る部分をすべてストレートにして同軸ケーブルが入りやすくした場合同軸ケーブルの外皮を締付金具で押さえにくい。
プッシュ式のプラグ３１の筒に一箇所又は二箇所のスリット２８が入っており、広がることによりＲＦ端子と密着して固定される、これが使用しているうちに広がり緩んでしまう、これを防ぐために柔らかめのプラスチック製キャップ１４を筒に被せ保護する。
ＲＦ端子はメーカーにより多少の径の違いが有る、この違いはキャップを筒に被せることにより対応できる。
【図面の簡単な説明】
【図１】  施工図
【図２】  締付金具
【図３】  シェル
【図４】  キャップ
【図５】  Ｆ型コネクター
【符号の説明】
１、締付金具の断面図  ２、締付金具の内部ネジヤマ  ３、締付金具  ４、締付金具の中心線  ５、シェルの断面図  ６、外皮の逃げ場  ７、シェルのネジヤマ  ８、シェルの平面図  ９、スリーブのストレート部分  １０、スリーブの角度部分  １１、ストッパー  １２、シェルの中心線  １３、キャップの断面図  １４、キャップ  １５、キャップの中心線  １６、スリーブ  １７、リングの断面図  １８、カラーの断面図  １９、接続ナットの断面図  ２０、Ｆ型コネクターの中心線  ２１、スリーブ  ２２、リング  ２３、接続ナットの断面図  ２４、カラー  ２５、同軸ケーブルの外皮  ２６、同軸ケーブルの絶縁体  ２７、内部導体  ２８、スリット  ２９、外部導体の折り返し  ３０、締付金具の内部角度  ３１、プッシュプラグ
【図１】
0003107877.tif 000003
【図２】
0003107877.tif 000004
【図３】
0003107877.tif 000005
【図４】
0003107877.tif 000006
【図５】
0003107877.tif 000007